【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
各ピクチャを分割した予測ブロック単位でインター予測を用いて動画像が符号化された符号化ビット列を復号する動画像復号装置であって、
復号対象の予測ブロックのインター予測において参照されるべき参照ピクチャを複数の参照画像の中から特定する参照インデックスを復号すると共に、選択されるべき予測動きベクトルと前記復号対象の予測ブロックの動きベクトルとの差分動きベクトルを復号して、インター予測情報を得る復号部と、
複数の復号済みのブロックの符号化情報を参照して複数の予測動きベクトルの候補を導出し、前記複数の予測動きベクトルの候補の中から選択される予測動きベクトルと復号された前記差分動きベクトルとを加算して前記復号対象の予測ブロックの動きベクトルを導出する動きベクトル導出部とを備え、
前記復号部は、インター予測モードが第１予測と第２予測とを有する双予測である場合、スライス単位で、第１予測のインター予測情報または第２予測のインター予測情報について、前記差分動きベクトルおよび前記参照インデックスの少なくとも一つの復号を行わないモードを有することを特徴とする動画像復号装置。
【請求項２】
各ピクチャを分割した予測ブロック単位でインター予測を用いて動画像が符号化された符号化ビット列を復号する動画像復号方法であって、
復号対象の予測ブロックのインター予測において参照されるべき参照ピクチャを複数の参照画像の中から特定する参照インデックスを復号すると共に、選択されるべき予測動きベクトルと前記復号対象の予測ブロックの動きベクトルとの差分動きベクトルを復号して、インター予測情報を得る復号ステップと、
複数の復号済みのブロックの符号化情報を参照して複数の予測動きベクトルの候補を導出し、前記複数の予測動きベクトルの候補の中から選択される予測動きベクトルと復号された前記差分動きベクトルとを加算して前記復号対象の予測ブロックの動きベクトルを導出する動きベクトル導出ステップとを備え、
前記復号ステップは、インター予測モードが第１予測と第２予測とを有する双予測である場合、スライス単位で、第１予測のインター予測情報または第２予測のインター予測情報について、前記差分動きベクトルおよび前記参照インデックスの少なくとも一つの復号を行わないモードを有することを特徴とする動画像復号方法。
【請求項３】
各ピクチャを分割した予測ブロック単位でインター予測を用いて動画像が符号化された符号化ビット列を復号する動画像復号プログラムであって、
復号対象の予測ブロックのインター予測において参照されるべき参照ピクチャを複数の参照画像の中から特定する参照インデックスを復号すると共に、選択されるべき予測動きベクトルと前記復号対象の予測ブロックの動きベクトルとの差分動きベクトルを復号して、インター予測情報を得る復号ステップと、
複数の復号済みのブロックの符号化情報を参照して複数の予測動きベクトルの候補を導出し、前記複数の予測動きベクトルの候補の中から選択される予測動きベクトルと復号された前記差分動きベクトルとを加算して前記復号対象の予測ブロックの動きベクトルを導出する動きベクトル導出ステップとをコンピュータに実行させ、
前記復号ステップは、インター予測モードが第１予測と第２予測とを有する双予測である場合、スライス単位で、第１予測のインター予測情報または第２予測のインター予測情報について、前記差分動きベクトルおよび前記参照インデックスの少なくとも一つの復号を行わないモードを有することを特徴とする動画像復号プログラム。
【請求項４】
動画像が符号化された符号化ビット列を受信して復号する受信装置であって、
各ピクチャを分割したブロック単位でインター予測を用いて動画像が符号化された符号化ビット列がパケット化された符号化データを受信する受信部と、
受信された前記符号化データをパケット処理して元の符号化ビット列を復元する復元部と、
復元された符号化ビット列から、復号対象の予測ブロックのインター予測において参照されるべき参照ピクチャを複数の参照画像の中から特定する参照インデックスを復号すると共に、選択されるべき予測動きベクトルと前記復号対象の予測ブロックの動きベクトルとの差分動きベクトルを復号して、インター予測情報を得る復号部と、
複数の復号済みのブロックの符号化情報を参照して複数の予測動きベクトルの候補を導出し、前記複数の予測動きベクトルの候補の中から選択される予測動きベクトルと復号された前記差分動きベクトルとを加算して前記復号対象の予測ブロックの動きベクトルを導出する動きベクトル導出部とを備え、
前記復号部は、インター予測モードが第１予測と第２予測とを有する双予測である場合、スライス単位で、第１予測のインター予測情報または第２予測のインター予測情報について、前記差分動きベクトルおよび前記参照インデックスの少なくとも一つの復号を行わないモードを有することを特徴とする受信装置。
【請求項５】
動画像が符号化された符号化ビット列を受信して復号する受信方法であって、
各ピクチャを分割したブロック単位でインター予測を用いて動画像が符号化された符号化ビット列がパケット化された符号化データを受信する受信ステップと、
受信された前記符号化データをパケット処理して元の符号化ビット列を復元する復元ステップと、
復元された符号化ビット列から、復号対象の予測ブロックのインター予測において参照されるべき参照ピクチャを複数の参照画像の中から特定する参照インデックスを復号すると共に、選択されるべき予測動きベクトルと前記復号対象の予測ブロックの動きベクトルとの差分動きベクトルを復号して、インター予測情報を得る復号ステップと、
複数の復号済みのブロックの符号化情報を参照して複数の予測動きベクトルの候補を導出し、前記複数の予測動きベクトルの候補の中から選択される予測動きベクトルと復号された前記差分動きベクトルとを加算して前記復号対象の予測ブロックの動きベクトルを導出する動きベクトル導出ステップとを備え、
前記復号ステップは、インター予測モードが第１予測と第２予測とを有する双予測である場合、スライス単位で、第１予測のインター予測情報または第２予測のインター予測情報について、前記差分動きベクトルおよび前記参照インデックスの少なくとも一つの復号を行わないモードを有することを特徴とする受信方法。
【請求項６】
動画像が符号化された符号化ビット列を受信して復号する受信プログラムであって、
各ピクチャを分割したブロック単位でインター予測を用いて動画像が符号化された符号化ビット列がパケット化された符号化データを受信する受信ステップと、
受信された前記符号化データをパケット処理して元の符号化ビット列を復元する復元ステップと、
復元された符号化ビット列から、復号対象の予測ブロックのインター予測において参照されるべき参照ピクチャを複数の参照画像の中から特定する参照インデックスを復号すると共に、選択されるべき予測動きベクトルと前記復号対象の予測ブロックの動きベクトルとの差分動きベクトルを復号して、インター予測情報を得る復号ステップと、
複数の復号済みのブロックの符号化情報を参照して複数の予測動きベクトルの候補を導出し、前記複数の予測動きベクトルの候補の中から選択される予測動きベクトルと復号された前記差分動きベクトルとを加算して前記復号対象の予測ブロックの動きベクトルを導出する動きベクトル導出ステップとをコンピュータに実行させ、
前記復号ステップは、インター予測モードが第１予測と第２予測とを有する双予測である場合、スライス単位で、第１予測のインター予測情報または第２予測のインター予測情報について、前記差分動きベクトルおよび前記参照インデックスの少なくとも一つの復号を行わないモードを有することを特徴とする受信プログラム。